(57)【要約】【課題】発熱体からの熱を有効に利用すること。涼暖共用とすること。【解決手段】表面材１１と裏面材１２の間に発熱体１３を設け、前期表面材１１に融点が３６℃以上の蓄熱材を内包するマイクロカプセル１５を配設し、前記裏面材１２に融点が３４℃以下の蓄熱材を内包するマイクロカプセル１６を配設することにより、表面材１１に設けた蓄熱材の効果により、発熱体１３からの熱を有効利用し、裏面材１２に設けた蓄熱材により体温を吸熱し、涼寝具としての使用を可能とした。【選択図】図１
2007275109.tif 000002
【特許請求の範囲】
【請求項１】
融点が第１所定温度以上の蓄熱材を内包する第１マイクロカプセルを配設した表面材と、融点が第２所定温度以下の蓄熱材を内包する第２マイクロカプセルを配設した裏面材と、前記表面材と前記裏面材の間に発熱体を設けた涼暖寝具。
【請求項２】
融点が３６℃以上の蓄熱材を内包する第１マイクロカプセルを配設した表面材と、融点が３４℃以下の蓄熱材を内包する第２マイクロカプセルを配設した裏面材と、前記表面材と前記裏面材の間に発熱体を設けた涼暖寝具。
【請求項３】
表面材、裏面材に設けたマイクロカプセルを融点が３４℃以下の蓄熱材を内包するマイクロカプセルと融点が３６℃以上の蓄熱材を内包するマイクロカプセルの混合とした請求項２記載の記載の涼暖寝具。
【請求項４】
表面材の温度が蓄熱材の融点以上の設定温度で発熱体の通電を停止する制御を設けてなる請求項１〜３記載のいずれか１項記載の涼暖寝具。
【発明の詳細な説明】
【技術分野】
【０００１】
本発明は、電気毛布等の涼暖寝具に関するものである。
【背景技術】
【０００２】
従来、この種の電気毛布等の電気採暖具は、一般的に通電状態で発熱する発熱体を表生地と裏生地との間に配設してなる毛布本体と、毛布本体の通電時における温度制御を行うコントロール部から構成される（例えば、特許文献１参照）。
【０００３】
図５は、特許文献１に記載された従来の電気毛布を示すものである。図５に示すように、発熱線１と、表面材２と、裏面材３から構成されている。
【特許文献１】特開平５−２３２４１号公報
【発明の開示】
【発明が解決しようとする課題】
【０００４】
しかしながら、前記従来の構成の電気毛布では、発熱体の温度が設定温度に達すると、温度センサーからの信号により発熱体の発熱を休止し、次に発熱体の温度が設定温度以下になると温度センサーからの信号により発熱体を再加熱する温度制御を行っていた。
【０００５】
また、線状の発熱体を等間隔に配線する構成が一般的であるため、毛布全体を暖めるためには発熱体の温度を必要温度異常に設定して熱が伝導するまでの間通電を続ける必要があった。この為、使用時の設定温度に高低の波があり、かつ効率的な熱供給が出来ないという課題を有していた。
【０００６】
さらに、就寝前に発熱体からの熱を布団内部に蓄熱し、就寝時には電源を切って使用される場合には、布団内の温度が高い状態から徐々に下がっていき、適温まで下がるまでの時間が掛かり過ぎ、また、適温での安定時間が持続しないという課題を有していた。
【０００７】
そして、従来の毛布は暖房用としては使用可能であるが夏場の使用はできないという課題も有していた。
【０００８】
本発明は、前記従来の課題を解決するもので、発熱体から発生する熱を効率的に利用するとともに、快適温度を持続することを目的とし、また、夏場の使用も可能とする涼暖寝具を提供することを目的とする。
【課題を解決するための手段】
【０００９】
前記従来の課題を解決するために、本発明の涼暖寝具は、融点が第１所定温度以上の蓄熱材を内包するマイクロカプセルを配設した表面材と、融点が第２所定温度以下の蓄熱材を内包するマイクロカプセルを配設した裏面材と、前記表面材と前記裏面材の間に発熱体を設けた涼暖寝具である。
【００１０】
また、融点が３６℃以上の蓄熱材を内包するマイクロカプセルを配設した表面材と、融点が３４℃以下の蓄熱材を内包するマイクロカプセルを配設した裏面材と、前記表面材と前記裏面材の間に発熱体を設けた涼暖寝具である。
【００１１】
上記した構成によって、暖房時には、表面材に配設した融点が第１所定温度または３６℃以上の蓄熱材を内包するマイクロカプセルが発熱体からの過剰熱を蓄熱し、夏場の使用時においては、裏面材に配設した融点が第２所定温度または３４℃以下の蓄熱材を内包す
るマイクロカプセルが、体温を吸熱可能な構成とすることができる。
【００１２】
したがって、発熱体に対する温度制御により通電、休止を繰り返す過程において通電状態で表面材からふとんに伝わり、空気中に放熱されていた熱を蓄熱材が仮蓄熱し、発熱体が休止時には蓄熱材が放熱し、効率的にかつ、温度の高低幅を少なくすることとなる。さらに、夏場においては、融点が第２所定温度または３４℃以下の蓄熱材を内包するマイクロカプセルを配設することにより、使用時に体温を吸熱して使用者に涼感を与えることができるようになる。
【発明の効果】
【００１３】
本発明の電気採暖具は、冬場の使用時は快適な暖房を提供し、夏場の使用時には、涼感を提供することができる。
【発明を実施するための最良の形態】
【００１４】
第１の発明は、融点が第１所定温度以上の蓄熱材を内包するマイクロカプセルを配設した表面材と、融点が第２所定温度以下の蓄熱材を内包するマイクロカプセルを配設した裏面材と、前記表面材と前記裏面材の間に発熱体を設けた涼暖寝具である。
【００１５】
第２の発明は、融点が３６℃以上の蓄熱材を内包するマイクロカプセルを配設した表面材と、融点が３４℃以下の蓄熱材を内包するマイクロカプセルを配設した裏面材と、前記表面材と前記裏面材の間に発熱体を設けた涼暖寝具である。
【００１６】
上記した構成によって、暖房時には、表面材に配設した融点が第１所定温度または３６℃以上の蓄熱材を内包するマイクロカプセルが発熱体からの過剰熱を蓄熱し、夏場の使用時においては、裏面材に配設した融点が第２所定温度または３４℃以下の蓄熱材を内包するマイクロカプセルが、体温を吸熱可能な構成とすることができる。
【００１７】
したがって、発熱体に対する温度制御により通電、休止を繰り返す過程において通電状態で表面材からふとんに伝わり、空気中に放熱されていた熱を蓄熱材が仮蓄熱し、発熱体が休止時には蓄熱材が放熱し、効率的にかつ、温度の高低幅を少なくすることとなる。さらに、夏場においては、融点が第２所定温度または３４℃以下の蓄熱材を内包するマイクロカプセルを配設することにより、使用時に体温を吸熱して使用者に涼感を与えることができるようになる。
【００１８】
第３の発明は、特に、第２の発明の表面材、裏面材に設けたマイクロカプセルを融点が３４℃以下の蓄熱材を内包するマイクロカプセルと融点が３６℃以上の蓄熱材を内包するマイクロカプセルの混合としたことにより、発熱線からの放熱をより効率的に利用することができる。
【００１９】
第４の発明は、特に第１から第３のいずれか１つの発明の表面材の温度が蓄熱材の融点以上の設定温度で発熱体の通電を停止する制御を設けることにより、蓄熱材への蓄熱を効率的におこなうことができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における涼暖寝具の縦断面図、図２は涼暖寝具の斜視図を示すものである。
【００２２】
図１、図２において、１１は表面材、１２は裏面材であり、前記表面材１１と前記裏面材１２の間には、温度センサー１９を内包する発熱線１３が配設され、１端部にはコントローラー１４が設けられている。
【００２３】
前記表面材１１には、融点が３６℃以上の蓄熱材を内包するマイクロカプセル１５が付加され、前記裏面材１２には、融点が３４℃以下の蓄熱材を内包するマイクロカプセル１６が付加されている。また、涼暖寝具は上面の掛けふとん１７と、下面の敷ふとん１８に挟まれて配設されている。
【００２４】
以上のように構成された涼暖寝具について、以下その動作、作用を説明する。
【００２５】
まず、発熱線１３からの放熱を、表面材１１に付加された融点が３６℃以上の蓄熱材が吸熱する。設定温度に到達すると、温度センサー１９からの信号によって、コントローラー１４が通電を停止する。これにより、涼暖寝具の表面温度が低下する、しかし、表面温度が蓄熱材の融点以下に達すると蓄熱材から、放熱が始まり表面温度の低下を抑える。さらに、時間が経過するとコントローラー１４が通電を開始し、発熱線１３からの放熱が始まり、温度が上昇する。このサイクルを繰り返し発熱線１３からの放熱をより効率的に利用することができる。
【００２６】
以上のように、本実施の形態においては、表面材に付加した融点が３６℃以上の蓄熱材の吸熱と放熱の繰り返しにより、発熱線１３からの放熱を効率的に利用することができる。
【００２７】
また、夏場においては、就寝時には、裏面材に触れている体表面より体温が融点が３４℃以上の蓄熱材に吸熱される。また、吸熱された熱は、裏面材が体表面を離れた時点で放熱を行う。
【００２８】
以上のように、本実施の形態においては、夏場の高室温の中でも体温を下げ涼感を提供することができる。
【００２９】
（実施の形態２）
図３は、本発明の実施の形態２における電気採暖具の縦断面図である。本実施の形態は、マイクロカプセルが実施の形態１の発明と異なるだけで、同一部分は同一番号を付記して異なる部分のみを説明する。
【００３０】
図３において、表面材１１と裏面材１２には、融点が３４℃以下の蓄熱材を内包するマイクロカプセル１５と融点が３６℃以上の蓄熱材を内包するマイクロカプセル１６が混合して配設されている。
【００３１】
以上のように構成された涼暖寝具について、以下その動作、作用を説明する。
【００３２】
表面材１１と裏面材１２に融点が３４℃以下の蓄熱材を内包するマイクロカプセル１５と融点が３６℃以上の蓄熱材を内包するマイクロカプセル１６混合して配設されることにより表面材、裏面材共に涼暖効果を有することができる。
【００３３】
以上のように、本実施の形態においては、表面材、裏面材共に同性能を有し、表裏の区別なく涼暖寝具を使用することが可能とができる。
【００３４】
（実施の形態３）
図４は、本発明の第４の実施の形態の電気採暖具の斜視図である。本実施の形態は、コ
ントローラーの制御が実施の形態１の発明と異なるだけで、同一部分は同一番号を付記して異なる部分のみを説明する。
【００３５】
図４において、涼暖寝具に設けられたコントローラー１４は、表面材の温度が蓄熱材の融点以上の温度になった時、発熱体の通電を停止する制御を行う。
【００３６】
以上のように構成された涼暖寝具について、以下その動作、作用を説明する。
【００３７】
コントローラーの制御で表面材の温度が蓄熱材の融点以上の温度になった時、発熱体の通電を停止することにより、融点が３６℃以上の蓄熱材を内包するマイクロカプセルによる吸熱、放熱効果を有効に行うことができる。
【産業上の利用可能性】
【００３８】
以上のように、本発明にかかる涼暖寝具は、冬場の使用時は快適な暖房を提供し、夏場の使用時には、涼感を提供することができ、電気毛布やその他涼暖を必要する器具に使用できる。
【図面の簡単な説明】
【００３９】
【図１】本発明の実施の形態１における涼暖寝具の縦断面図
【図２】本発明の実施の形態２における涼暖寝具の斜視図
【図３】本発明の実施の形態３における涼暖寝具の縦断面図
【図４】本発明の実施の形態３における涼暖寝具の斜視図
【図５】従来の電気毛布の斜視図
【符号の説明】
【００４０】
１１  表面材
１２  裏面材
１３  発熱線
１４  コントローラー
１５  融点が３４℃以下の蓄熱材を内包するマイクロカプセル
１６  融点が３６℃以上の蓄熱材を内包するマイクロカプセル
【図１】
2007275109.tif 000003
【図２】
2007275109.tif 000004
【図３】
2007275109.tif 000005
【図４】
2007275109.tif 000006
【図５】
2007275109.tif 000007